(57)【要約】      （修正有）【課題】強度的に優れ、しかも、在庫管理等が容易で、品質管理等の面で好ましい木造建築用連結金具を提供する。【解決手段】平板状部１１と、この平板状部１１の一側縁から突設される帯状部１２とを備えている。そして、上記両連結部１１，１２が一体成形され、上記帯状部１２の、平板状部１１側の端部が上記一側縁に対して捩じられている。これにより、木造建築を構成する２本の横架材のうち、第１の横架材の一端部を第２の横架材の中間部に直角に接合する際に、上記一端部の内部に平板状連結部を収容して固定し、上記中間部の内部に帯状連結部を収容して固定することにより、木造建築用連結金具を両横架材に強固に固定することができる。【選択図】図１
0003144706.tif 000002
【実用新案登録請求の範囲】
【請求項１】
平板状連結部と、この平板状連結部の一側縁から突設される帯状連結部とを備え、上記両連結部が一体成形され、上記帯状連結部の、平板状連結部側の端部が上記一側縁に対して捩じられていることを特徴とする木造建築用連結金具。
【請求項２】
木造建築を構成する少なくとも２本の横架材のうち、第１の横架材の一端面を第２の横架材の一側面に当接した状態でこれら両横架材を直角に連結するために用いられる木造建築用連結金具であって、平板状連結部と、この平板状連結部の一側縁から突設される帯状連結部とを備え、上記両連結部が一体成形され、上記帯状連結部の、平板状連結部側の端部が上記一側縁に対して捩じられており、上記平板状連結部が、上記一端面に形成された凹部に収容された状態で上記第１の横架材に固定可能で、上記帯状連結部が、上記一側面に形成された凹部に収容された状態で上記第２の横架材に固定可能であることを特徴とする木造建築用連結金具。
【請求項３】
上記両連結部にピン挿通穴が穿設されている請求項１記載の木造建築用連結金具。
【請求項４】
上記両連結部にピン挿通穴が穿設されている請求項２記載の木造建築用連結金具。
【請求項５】
第１の横架材の一端面に形成された凹部が、上記一端面を縦断する状態でこの一端面から横架材の長手方向に切り欠かれたスリットからなり、このスリットに平板状連結部が収容された状態では、第１の横架材に横向きに固定される固定ピンが平板状連結部のピン挿通穴に挿通可能で、第２の横架材の一側面に形成された凹部が、上記一側面から横架材の短手方向に穿設された横穴からなり、この横穴に帯状連結部が収容された状態では、第２の横架材に縦向きに固定される固定ピンが帯状連結部のピン挿通穴に挿通可能である請求項２または４記載の木造建築用連結金具。
【請求項６】
上記帯状連結部の、平板状連結部側の端部が上記一側縁に対して９０°捩じられ、上記帯状連結部が上記一側縁に対して直交している請求項１〜５のいずれか一項に記載の木造建築用連結金具。
【請求項７】
上記帯状連結部の、平板状連結部側の端部が上記一側縁に対して９０°捩じられ、上記帯状連結部が上記一側縁に対して直交し、上記平板状連結部側の端部の、上記一側縁の長手方向の中央位置に対して、上記平板状連結部側の端部より先側部分の、上記一側縁の長手方向の中央位置が、上記一側縁の長手方向において所定の距離ずれている請求項１〜５のいずれか一項に記載の木造建築用連結金具。
【請求項８】
上記帯状連結部の、平板状連結部側の端部が上記一側縁に対して所定の角度捩じられ、上記帯状連結部が上記一側縁に対して傾斜している請求項１〜５のいずれか一項に記載の木造建築用連結金具。
【請求項９】
木造建築を構成する少なくとも３本の横架材のうち、第１の横架材の一端面を第２の横架材の一側面に当接した状態で両横架材を直角に連結し、第２の横架材の他側面に、第１の横架材に相対向して配設される第３の横架材の一端面を当接した状態で両横架材を直角に連結するために用いられる２枚一組の木造建築用連結金具であって、それぞれが、平板状連結部と、この平板状連結部の一側縁から突設される帯状連結部とを備え、上記両連結部が一体成形され、上記帯状連結部の、平板状連結部側の端部が上記一側縁に対して９０°捩じられ、上記帯状連結部が上記一側縁に対して直交し、上記平板状連結部側の端部の、上記一側縁の長手方向の中央位置に対して、上記平板状連結部側の端部より先側部分の、上記一側縁の長手方向の中央位置が、上記一側縁の長手方向に所定の距離ずれており、一方の連結金具の平板状連結部が、第１の横架材の一端面に形成された凹部に収容されて固定可能で、上下を逆にした他方の連結金具の平板状連結部が、第３の横架材の一端面に形成された凹部に収容されて固定可能で、一方の連結金具の帯状連結部が、第２の横架材の相対向する両側面間に形成された貫通孔に収容されて固定可能であるとともに、上下を逆にした他方の連結金具の帯状連結部が、上記一側縁の長手方向において、一方の連結金具の帯状連結部と重なり合いもしくは近接する状態で、上記貫通孔に収容されて固定可能であることを特徴とする木造建築用連結金具。
【請求項１０】
上記双方の連結金具の平板状連結部および帯状連結部にピン挿通穴が穿設されている請求項９記載の木造建築用連結金具。
【請求項１１】
第１および第３の横架材の一端面に形成された凹部が、上記各一端面を縦断する状態でこの一端面から横架材の長手方向に切り欠かれたスリットからなり、上記各スリットに平板状連結部が収容された状態では、第１および第３の横架材にそれぞれ横向きに固定される固定ピンが平板状連結部のピン挿通穴に挿通可能で、上記貫通穴に各帯状連結部が収容された状態では、第２の横架材に縦向きに固定される固定ピンが各帯状連結部のピン挿通穴に挿通可能である請求項１０記載の木造建築用連結金具。
【請求項１２】
上記平板状連結部の一側縁から複数本の帯状連結部が突設され、少なくとも２本の帯状連結部が反対方向に捩じられている請求項１〜１１のいずれか一項に記載の木造建築用連結金具。
【請求項１３】
上記平板状連結部の一側縁から一体に延設される突片に上記帯状連結部が突設されている請求項１〜１２のいずれか一項に記載の木造建築用連結金具。
【請求項１４】
上記横架材が梁もしくは土台である請求項２または９記載の木造建築用連結金具。
【考案の詳細な説明】
【技術分野】
【０００１】
本考案は、木造建築を構成する構造用材（複数本の垂直材および横架材等）を連結するための木造建築用連結金具に関するものである。
【背景技術】
【０００２】
従来から、木造建築を構成する構造用材（柱等の垂直材と梁等の横架材等）を接合するため、各種の連結手段が用いられている。例えば、２本の横架材３１，３２を直角に接続するため、図１７に示す接続構造では、連結部材３３，梁受け金具３４，短冊金物３５等を組み合わせてなる連結手段が用いられている。この連結手段では、梁受け金具３４が第１横架材３１の側面部に羽子板ボルト３６で固定されているとともに、この梁受け金具３４に連結部材３３の一端が載置されている。また、この連結部材３３の他端に第２横架材３２の一端が載置されており、上記羽子板ボルト３６の板状部３６ａと連結部材３３と第２横架材３２の一端とが短冊金物３５で固定されている（例えば、特許文献１参照）。
【特許文献１】特開平１０−２６６３６１号公報
【考案の開示】
【考案が解決しようとする課題】
【０００３】
しかしながら、上記の連結手段では、第１横架材３１の側面部に梁受け金具３４を羽子板ボルト３６で固定しているだけであるため、第１横架材３１と梁受け金具３４との結合力が弱く、強度的に劣る。しかも、両横架材３１，３２を接続するために連結部材３３，梁受け金具３４，短冊金物３５等を用いているため、部品点数が多く、在庫管理等が煩雑になるうえ、品質管理等の面で好ましくない。
【０００４】
本考案は、このような事情に鑑みなされたもので、強度的に優れ、しかも、在庫管理等が容易で、品質管理等の面で好ましい木造建築用連結金具の提供をその目的とする。
【課題を解決するための手段】
【０００５】
上記の目的を達成するため、本考案は、平板状連結部と、この平板状連結部の一側縁から突設される帯状連結部とを備え、上記両連結部が一体成形され、上記帯状連結部の、平板状連結部側の端部が上記一側縁に対して捩じられている木造建築用連結金具を第１の要旨とし、木造建築を構成する少なくとも２本の横架材のうち、第１の横架材の一端面を第２の横架材の一側面に当接した状態でこれら両横架材を直角に連結するために用いられる木造建築用連結金具であって、平板状連結部と、この平板状連結部の一側縁から突設される帯状連結部とを備え、上記両連結部が一体成形され、上記帯状連結部の、平板状連結部側の端部が上記一側縁に対して捩じられており、上記平板状連結部が、上記一端面に形成された凹部に収容された状態で上記第１の横架材に固定可能で、上記帯状連結部が、上記一側面に形成された凹部に収容された状態で上記第２の横架材に固定可能である木造建築用連結金具を第２の要旨とし、木造建築を構成する少なくとも３本の横架材のうち、第１の横架材の一端面を第２の横架材の一側面に当接した状態で両横架材を直角に連結し、第２の横架材の他側面に、第１の横架材に相対向して配設される第３の横架材の一端面を当接した状態で両横架材を直角に連結するために用いられる２枚一組の木造建築用連結金具であって、それぞれが、平板状連結部と、この平板状連結部の一側縁から突設される帯状連結部とを備え、上記両連結部が一体成形され、上記帯状連結部の、平板状連結部側の端部が上記一側縁に対して９０°捩じられ、上記帯状連結部が上記一側縁に対して直交し、上記平板状連結部側の端部の、上記一側縁の長手方向の中央位置に対して、上記平板状連結部側の端部より先側部分の、上記一側縁の長手方向の中央位置が、上記一側縁の長手方向に所定の距離ずれており、一方の連結金具の平板状連結部が、第１の横架材の一端面に形成された凹部に収容されて固定可能で、上下を逆にした他方の連結金具の平板状連結部が、第３の横架材の一端面に形成された凹部に収容されて固定可能で、一方の連結金具の帯状連結部が、第２の横架材の相対向する両側面間に形成された貫通孔に収容されて固定可能であるとともに、上下を逆にした他方の連結金具の帯状連結部が、上記一側縁の長手方向において、一方の連結金具の帯状連結部と重なり合いもしくは近接する状態で、上記貫通孔に収容されて固定可能である木造建築用連結金具木造建築用連結金具を第３の要旨とする。
【考案の効果】
【０００６】
すなわち、本考案の第１の木造建築用連結金具は、平板状連結部と、この平板状連結部の一側縁から突設される帯状連結部とを備えており、上記両連結部が一体成形され、上記帯状連結部の、平板状連結部側の端部が上記一側縁に対して捩じられている。したがって、上記第１の木造建築用連結金具では、木造建築を構成する２本の横架材のうち、第１の横架材の一端部を第２の横架材の中間部に直角に接合する際に、上記一端部の内部に平板状連結部を収容して固定し、上記中間部の内部に帯状連結部を収容して固定することにより、上記第１の木造建築用連結金具を両横架材に強固に固定することができる。しかも、平板状連結部側と帯状連結部とが一体成形されているため、部品点数が少なく、在庫管理等が容易で、品質管理等の面で好ましい。
【０００７】
また、本考案の第２の木造建築用連結金具では、上記第１の木造建築用連結金具を用い、木造建築を構成する少なくとも２本の横架材のうち、第１の横架材の一端面を第２の横架材の一側面に当接した状態でこれら両横架材を直角に連結することができる。
【０００８】
また、上記第１および第２の木造建築用連結金具において、上記両連結部にピン挿通穴が穿設されている場合には、横架材に平板状連結部，帯状連結部を固定する固定手段として、上記ピン挿通穴に挿通しうる固定ピンを用いることができる。
【０００９】
また、上記第２の木造建築用連結金具において、第１の横架材の一端面に形成された凹部が、上記一端面を縦断する状態でこの一端面から横架材の長手方向に切り欠かれたスリットからなり、このスリットに平板状連結部が収容された状態では、第１の横架材に横向きに固定される固定ピンが平板状連結部のピン挿通穴に挿通可能で、第２の横架材の一側面に形成された凹部が、上記一側面から横架材の短手方向に穿設された横穴からなり、この横穴に帯状連結部が収容された状態では、第２の横架材に縦向きに固定される固定ピンが帯状連結部のピン挿通穴に挿通可能である場合には、上記平板状連結部を第１の横架材のスリットに収容して固定ピンで固定し、上記帯状連結部を第２の横架材の横穴に収容して固定ピンで固定することができる。
【００１０】
また、本考案の第１および第２の木造建築用連結金具において、上記帯状連結部の、平板状連結部側の端部が上記一側縁に対して９０°捩じられ、上記帯状連結部が上記一側縁に対して直交している場合には、第１の横架材の一端面を第２の横架材の一側面に当接した状態でこれら両横架材を直角に連結する際に、第１の横架材に平板状連結部を横向きの固定ピン等で固定し、第２の横架材に帯状連結部を縦向きの固定ピン等で固定することができ、上記両横架材の連結が容易に行える。
【００１１】
また、本考案の第１および第２の木造建築用連結金具において、上記帯状連結部の、平板状連結部側の端部が上記一側縁に対して９０°捩じられ、上記帯状連結部が上記一側縁に対して直交し、上記平板状連結部側の端部の、上記一側縁の長手方向の中央位置に対して、上記平板状連結部側の端部より先側部分の、上記一側縁の長手方向の中央位置が、上記一側縁の長手方向において所定の距離ずれている場合には、上記帯状連結部の、平板状連結部側の端部よりも、その先側部分を上方に位置決めすることにより、平板状連結部側の端部の中央位置よりも上方で、上記帯状連結部に負荷される横架材の重量等を支受することができ、平板状連結部側の端部の中央位置で上記重量等を支受するものと比べ、帯状連結部の耐久性が向上する。そのうえ、上記第１の木造建築用連結金具は、上下を逆にして並べることにより、帯状連結部同士が当接等することなく、重ねたり、近接させたりすることができるため、小スペースで運搬，保管等することができる。
【００１２】
また、本考案の第１および第２の木造建築用連結金具において、上記帯状連結部の、平板状連結部側の端部が上記一側縁に対して所定の角度捩じられ、上記帯状連結部が上記一側縁に対して傾斜している場合には、帯状連結部にピン挿通穴等を穿設し、このピン挿通穴等に固定ピン等を挿通等する場合に、固定ピン等をピン挿通穴等でガイドしながらスムーズに挿通させることができる。
【００１３】
さらに、本考案の第３の木造建築用連結金具では、木造建築を構成する少なくとも３本の横架材のうち、第１の横架材の一端面を第２の横架材の一側面に当接した状態で両横架材を直角に連結し、第２の横架材の他側面に、第１の横架材に相対向して配設される第３の横架材の一端面を当接した状態で両横架材を直角に連結することができる。しかも、上記第３の木造建築用連結金具では、２枚一組で用いる同様構造の連結金具のうち、一方の連結金具に対し、他方の連結金具をその上下を逆にして用いることで、第２の横架材に形成された貫通孔内に、両連結金具の帯状連結部同士が当接等することなく収容される。したがって、一種類の木造建築用連結金具を用い、少なくとも３本の横架材を連結することができ、在庫管理，品質管理等の管理面が簡素化される。
【００１４】
また、上記第３の木造建築用連結金具においても、上記両連結部にピン挿通穴が穿設されている場合には、横架材に平板状連結部，帯状連結部を固定する固定手段として、上記ピン挿通穴に挿通しうる固定ピンを用いることができる。
【００１５】
また、上記第３の木造建築用連結金具において、第１および第３の横架材の一端面に形成された凹部が、上記各一端面を縦断する状態でこの一端面から横架材の長手方向に切り欠かれたスリットからなり、上記各スリットに平板状連結部が収容された状態では、第１および第３の横架材にそれぞれ横向きに固定される固定ピンが平板状連結部のピン挿通穴に挿通可能で、上記貫通穴に各帯状連結部が収容された状態では、第２の横架材に縦向きに固定される固定ピンが各帯状連結部のピン挿通穴に挿通可能である場合には、上記平板状連結部をスリットに収容して固定ピンで固定し、上記帯状連結部を横穴に収容して固定ピンで固定することができる。
【００１６】
また、上記第１〜第３の木造建築用連結金具において、上記平板状連結部の一側縁から複数本の帯状連結部が突設され、少なくとも２本の帯状連結部が反対方向に捩じられている場合には、上記捩じり力に対して、上記少なくとも２本の帯状連結部を元の平板状態に戻そうとする力がそれぞれ反対方向に作用するため、帯状連結部のピン挿通穴に挿通された固定ピンに対しても、上記戻し力が相対向状に作用し、抜け止めされる。
【００１７】
また、上記第１〜第３の木造建築用連結金具において、上記平板状連結部の一側縁から一体に延設される突片に上記帯状連結部が突設されている場合には、上記突片でも横架材の重量等を支受することができ、強度アップになる。
【００１８】
このような第１〜第３の木造建築用連結金具は、上記横架材が梁もしくは土台である場合に、好適に用いられる。
【考案を実施するための最良の形態】
【００１９】
つぎに、本考案を実施するための最良の形態について説明する。ただし、本考案は、この実施の形態に限られるものではない。
【００２０】
図１は本考案の第１の木造建築用連結金具（第２の木造建築用連結金具でもある）の一実施の形態を示している。図において、１は木造建築用連結金具であり、木造建築（図２参照）を構成する構造用材（複数本の断面形状四角形の柱２等の垂直材および断面形状四角形の土台３，梁４等の横架材）のうち、所定の２本の横架材（この実施の形態では、２本の梁４）を接合し、かつ、金属製ブレース５の一端部を固定するためのものである。
【００２１】
このような木造建築用連結金具１は、図３〜図５に示すように、一方の梁４のスリット２１（図８参照）に垂直姿勢で収容されて固定される平板状部（平板状連結部）１１と、この平板状部１１の一側端縁（図３では、右側端縁）から延設され他方の梁４のピン挿通穴２３（図８参照）に水平姿勢で収容されて固定される上下一対の帯状部（帯状連結部）１２とが一体に成形されてなる連結金具で構成されている。
【００２２】
上記平板状部１１には、その他側部（図３では、左側部）に、後述する第１固定ピン７を挿通するための上下一対のピン挿通穴１３が穿設されている。また、上記平板状部１１には、その上下両側部にそれぞれ、ブレース取り付け板５ａ（図１０参照）を着脱自在に取り付ける凹部１４と、係止ピン（図示せず）を支受する凹部１５が形成されている。
【００２３】
上記両帯状部１２はそれぞれ、上記平板状部１１の一側端縁に対して９０°捩じられた水平姿勢で突設されており、上記平板状部１１の一側端縁から突設される捩じり部分１２ａと、この捩じり部分１２ａから水平に延設される帯状部分１２ｂとからなっている。そして、これら帯状部分１２ｂにそれぞれ、後述する第２固定ピン８を挿通するための左右一対のピン挿通穴１６が穿設されている。また、上記両帯状部分１２ｂの中央高さ位置Ｃ１（厚み方向の真ん中位置）（図４参照）は、捩じり部分１２ａの中央高さ位置Ｃ２（図３参照）より、上記両帯状部分１２ｂの厚みの半分だけ上方に位置している。
【００２４】
このような木造建築用連結金具１は、例えばつぎのようにして作製される。すなわち、まず、図６に示すような、上記平板状部１１の一側端縁から、左右一対のピン挿通穴１６が穿設された上下一対の帯状体１７ａが突設された上下対称形状の平板状金属製一体成形品１７を準備する。つぎに、平板状部１１の少なくとも上記一側端縁側の部分を保持し、その状態で、両帯状体１７ａの先側部分（上記帯状部分１２ｂに対応する部分）を平板状部１１に対し、その軸線Ｌ１（図６参照）に沿って９０°捩じる（図７参照）。このとき、上記両帯状体１７ａの捩じり方向を逆にする（図６参照の矢印参照）。そののち、水平姿勢の帯状体１７ａを上方に押圧し、この帯状体１７ａの厚みの半分の距離だけ押し上げることを行う。図３に、押し上げられた帯状体１７ａ、すなわち帯状部１２の軸線Ｌ２を示す。
【００２５】
一方、上記一方の梁４には、図８に示すように、その左右両端部４ａ（図８では、右端部４ａしか図示せず）に、その端面から上記一方の梁４の長手方向に（すなわち、左右方向に）延びる一条のスリット２１が、上記端面を縦断する状態で形成されている。また、上記左右両端部４ａには、上記平板状部１１の両ピン挿通穴１３に対応する部分に、上下一対の横向きピン挿通穴２２が横断状に穿設されている。
【００２６】
また、上記他方の梁４には、その中間部４ｂ（図８参照）の左側面から、上記両帯状部１２を挿入しうる上下一対の挿入穴（横穴）２３が、上記他方の梁４の短手方向に、上記中間部４ｂを横断する状態で穿設されているとともに、上記両帯状部１２のピン挿通穴１６に対応する部分に、左右一対の縦向きピン挿通穴２４が縦断状に穿設されている。
【００２７】
上記の木造建築用連結金具１を用い、一方の梁４の右端面を他方の梁４の左側面に当接させた状態で、一方の梁４の右端部４ａを他方の梁４の中間部４ｂに接合する場合には、まず、一方の梁４のスリット２１に平板状部１１を挿入する。この状態では、平板状部１１はスリット２１に収容され、両帯状部１２はスリット２１から突出している。ついで、一方の梁４の両横向きピン挿通穴２２および平板状部１１の両ピン挿通穴１３に第１固定ピン７を挿通し、一方の梁４に平板状部１１を固定する。つぎに、一方の梁４の右端部４ａを他方の梁４の中間部４ｂを近付け（図８参照。この図８では、木造建築用連結金具１を図示せず）、両帯状部１２を他方の梁４の挿入穴２３に挿入する。そののち、他方の梁４の両縦向きピン挿通穴２４および上側帯状部１２の両ピン挿通穴１６に上方から第２固定ピン８を挿通し、両縦向きピン挿通穴２４および下側帯状部１２の両ピン挿通穴１６に下方から第２固定ピン８を挿通して、他方の梁４に両帯状部１２を固定することを行う（図９〜図１１参照）。なお、ブレース取り付け板５ａは、必要に応じ取り付ける。
【００２８】
上記のように、この実施の形態では、木造建築用連結金具１を用い、２本の梁４を直角に連結することができる。しかも、木造建築用連結金具１は、平板状部１１と２本の帯状部１２とが一体成形されているため、部品点数が１個だけであり、在庫管理等が容易で、品質管理等の面で好ましい。さらに、木造建築用連結金具１では、上記一体成形品１７の帯状体１７ａを単に９０°捩じったものと比べて、高い位置で梁４の重量等を支受することができ、帯状部１２の耐久性が向上する。そのうえ、多数の木造建築用連結金具１を運搬，保管等する場合に、その半分の木造建築用連結金具１の上下を逆にして並べることにより、帯状部１２同士が干渉し合うことなく、重ねたり、近接させたりすることができ、広いスペースを必要としない。
【００２９】
図１２は本考案の第１の木造建築用連結金具（第２の木造建築用連結金具でもある）の他の実施の形態を示している。この実施の形態では、上下一対の帯状部１２がそれぞれ、平板状部１１の一側端縁に対して所定の角度（この実施の形態では、略１０°）捩じられている。それ以外の部分は上記実施の形態と同様であり、同様の部分には同じ符号を付している。この実施の形態でも、２本の梁４を直角に連結することができる。しかも、木造建築用連結金具１は、平板状部１１と２本の帯状部１２とが一体成形されているため、部品点数が１個だけであり、在庫管理等が容易で、品質管理等の面で好ましい。さらに、第２固定ピン８を帯状部１２のピン挿通穴１６でガイドしながらスムーズに挿通させることができる。
【００３０】
図１３は本考案の第１の木造建築用連結金具（第２の木造建築用連結金具でもある）のさらに他の実施の形態を示している。この実施の形態では、上下一対の帯状部１２がそれぞれ、平板状部１１の一側端縁に対して９０°捩じられた水平姿勢で突設されているが、図１〜図１１に示す実施の形態とは異なり、両帯状部分１２ｂの中央高さ位置Ｃ１（図４参照）は、捩じり部分１２ａの中央高さ位置Ｃ２（図３参照）と同じである。すなわち、図６に示す一体成形品１７の両帯状体１７ａの先側部分を平板状部１１に対して９０°捩じっただけのものである（図７参照）。この実施の形態でも、２本の梁４を直角に連結することができる。
【００３１】
図１４は本考案の第３の木造建築用連結金具の一実施の形態の使用状態を示している。この第３の木造建築用連結金具は、２枚一組で用いられるものであり、それぞれ、図１〜図１１に示す実施の形態の木造建築用連結金具１と同様形状のもので構成されている。そして、図１５に示すように、３本の梁４のうち、第１の梁４の一端部４ａを第２の梁４の中間部４ｂの一側面に直角に連結し、上記中間部４ｂの他側面に、第１の梁４に相対向して配設される第３の梁４の一端部４ａを直角に連結するようにしている。
【００３２】
より詳しく説明すると、両木造建築用連結金具１のうち、一方の木造建築用連結金具１は、図１〜図１１に示す実施の形態と同様にして、第１および第２の梁４に固定されており、他方の木造建築用連結金具１は、上下を逆にした状態で、図１〜図１１に示す実施の形態と同様にして、第２および第３の梁４に固定されている。この固定状態では、図１４に示すように、両木造建築用連結金具１の両帯状部１２が当接した状態で上下方向に重なり合っている。それ以外の部分は、図１〜図１１に示す実施の形態と同様であり、同様の部分には同じ符号を付している。この実施の形態でも、図１〜図１１に示す実施の形態と同様の作用・効果を奏する。しかも、一種類の木造建築用連結金具１で３本の梁４を連結することができる。
【００３３】
図１６は図１〜図１１に示す実施の形態の木造建築用連結金具１の変形例を示している。この例では、平板状部１１の一側端縁から、他方の梁４の挿入穴２３（図１０参照）に嵌入される鍔部（突片）２６が一体に突設され、この鍔部２６から帯状部１２が一体に突設されている。この例では、上記鍔部２６で他方の梁４の重量等を支受することができ、強度アップになる。
【００３４】
なお、上記各実施の形態では、木造建築用連結金具１を用い、梁４同士を連結しているが、これに限定するものではなく、土台３同士を連結してもよい。
【００３５】
また、上記各実施の形態では、２本の帯状部１２を異なる方向に捩じっているが、同じ方向に捩じってもよいし、帯状部１２の本数は１本でも、３本以上でもよい。
【００３６】
また、上記木造建築用連結金具１を構成する金属材料としては、通常、ＳＳ材（一般構造用圧延鋼材），ＳＭ材（溶接構造用圧延鋼材）等が用いられる。
【図面の簡単な説明】
【００３７】
【図１】本考案の第１の木造建築用連結金具の一実施の形態を示す斜視図である。
【図２】木造建築の説明図である。
【図３】上記第１の木造建築用連結金具の正面図である。
【図４】上記第１の木造建築用連結金具の側面図である。
【図５】上記第１の木造建築用連結金具の平面図である。
【図６】一体成形品の正面図である。
【図７】上記一体成形品の帯状体を９０°捩じった状態を示す正面図である。
【図８】２本の梁を連結する方法を示す斜視図である。
【図９】上記２本の梁を連結した状態を示す斜視図である。
【図１０】上記連結状態を示す断面図である。
【図１１】上記連結状態の要部を示す断面図である。
【図１２】本考案の第１の木造建築用連結金具の他の実施の形態を示す側面図である。
【図１３】本考案の第１の木造建築用連結金具のさらに他の実施の形態を示す正面図である。
【図１４】本考案の第５の木造建築用連結金具の一実施の形態の使用状態を示す断面図である。
【図１５】上記３本の梁を連結した状態を示す斜視図である。
【図１６】上記第１の木造建築用連結金具の変形例を示す正面図である。
【図１７】従来例を示す斜視図である。
【符号の説明】
【００３８】
１１  平板状部
１２  帯状部
【図１】
0003144706.tif 000003
【図２】
0003144706.tif 000004
【図３】
0003144706.tif 000005
【図４】
0003144706.tif 000006
【図５】
0003144706.tif 000007
【図６】
0003144706.tif 000008
【図７】
0003144706.tif 000009
【図８】
0003144706.tif 000010
【図９】
0003144706.tif 000011
【図１０】
0003144706.tif 000012
【図１１】
0003144706.tif 000013
【図１２】
0003144706.tif 000014
【図１３】
0003144706.tif 000015
【図１４】
0003144706.tif 000016
【図１５】
0003144706.tif 000017
【図１６】
0003144706.tif 000018
【図１７】
0003144706.tif 000019